(57)【要約】  流動性の組成物のための容器のキャップであって、ヒンジによって互いに接続された蓋（１）およびベース（２）を備えており、蓋が、ベースに接触するベース接触縁と、ベース接触縁から離れた弾性パッド（４）とを備えるキャップ。
2011505303.tif 000002
【特許請求の範囲】
【請求項１】
流動性の組成物のための容器のキャップであって、ヒンジによって互いに接続された蓋およびベースを備えており、蓋が、ベースに接触するベース接触縁と、ベース接触縁から離れた弾性パッドとを備える、キャップ。
【請求項２】
パッドが、蓋の凹所に位置している、請求項１に記載のキャップ。
【請求項３】
パッドが、蓋とじかに接触して位置している、請求項１または２に記載のキャップ。
【請求項４】
パッドが、一様な奥行きである、請求項１から３のいずれか一項に記載のキャップ。
【請求項５】
パッドが、射出チャネルを備える、請求項１から４のいずれか一項に記載のキャップ。
【請求項６】
蓋およびベースが、剛性のあるプラスチック材料からなる、請求項１から５のいずれか一項に記載のキャップ。
【請求項７】
蓋が、張り出し部を備える、請求項１から６のいずれか一項に記載のキャップ。
【請求項８】
蓋が、実質的に円形の上面を備える、請求項１から７のいずれか一項に記載のキャップ。
【請求項９】
パッドが、蓋においてヒンジの反対側に配置されている、請求項１から８のいずれか一項に記載のキャップ。
【請求項１０】
ベースの蓋とは反対側の縁が、実質的に円形である、請求項１から９のいずれか一項に記載のキャップ。
【請求項１１】
ベースの蓋とは反対側の縁に向かって外へとテーパ状である、請求項１から１０のいずれか一項に記載のキャップ。
【発明の詳細な説明】
【技術分野】
【０００１】
本発明は、容器のキャップに関する。
【背景技術】
【０００２】
従来技術にもかかわらず、消費財のパッケージングの改善について、依然としてニーズが存在している。
【発明の概要】
【発明が解決しようとする課題】
【０００３】
本発明は、流動性の組成物のための容器のキャップであって、ヒンジによって互いに接続された蓋およびベースを備えており、蓋が、ベースに接触するベース接触縁と、ベース接触縁から離れた弾性パッドとを備えるキャップを提供する。
【課題を解決するための手段】
【０００４】
「ベース接触縁から離れた」とは、２つの部分の間に接触がまったく存在しないことを意味し、すなわちパッドの縁が、蓋の下縁までは通じていないことを意味する。
【０００５】
ヒンジは、当該技術分野において一般的に使用される任意のヒンジであってもよい。好ましくは、ヒンジは、キャップのパッドとは反対側に位置する。
【０００６】
好ましくは、パッドは、蓋の凹所に位置する。これにより、蓋におけるパッドの安定性が改善され、繰り返しの使用時にパッドが蓋から分離する可能性が少なくなる。
【０００７】
好ましくは、パッドが、蓋とじかに接触して位置する。これにより、消費者に最も審美的に好ましい外形がもたらされる。
【０００８】
好ましくは、パッドが、一様な奥行きである。これは、全体としての品質をパッドの感触へと改善するとともに、繰り返しの使用時にパッドが剥離する可能性を少なくする。一様とは、射出成型を行った際の湯口、ランナ、またはゲートを考慮に入れないという点で、おおむね一様であることを意味する。
【０００９】
好ましくは、パッドが、射出チャネルを備える。好ましくは、パッドが射出成型され、最も好ましくは、背後から射出成型され、すなわちパッドの周囲を形成する材料を通って射出成型される。これにより、最も審美的に好ましいパッドがもたらされるとともに、剥離を生じる可能性があり、したがって全体としてのパッドを弱体化させる可能性がある前縁が存在しないため、繰り返しの使用時にパッドが剥離する可能性も少なくなる。
【００１０】
好ましくは、蓋およびベースが、剛性のあるプラスチック材料からなる。好ましい剛性材料として、例えばポリエチレンおよびポリプロピレンなどのポリオレフィンが挙げられる。最も好ましい剛性材料は、ポリプロピレンである。
【００１１】
好ましくは、剛性材料が、パッドの色とは異なる色である。これは、どこで蓋がベースから開くのかについて、視覚的刺激をユーザに提供する。
【００１２】
好ましくは、蓋が、実質的に円形の上面を備える。実質的に円形な蓋は、蓋の上面にて立てられるときに、容器に最も安定な台座を提供する。
【００１３】
好ましくは、蓋が、張り出し部を備える。好ましくは、張り出し部は、パッドとは別である。
【００１４】
好ましくは、ベースの蓋とは反対側の縁が、実質的に円形である。実質的に円形のベースは、実質的に円形の蓋と対をなすとともに、容器を封じるプロセスにおいて最も融通のきくキャップを提供する。
【００１５】
好ましくは、キャップが、ベースの蓋とは反対側の縁に向かって外へとテーパ状である。このことは、蓋の上面の縁が、キャップのベースの縁によって画定される仮想の円筒の内側に入ることを意味する。
【００１６】
テーパは、キャップのベースおよび上部の実質的に円形の構成を損なうことなく、蓋の張り出し部を可能にする最も効果的な方法である。
【００１７】
キャップのベースは、好ましくは、容器内に収容された物質を送り出すための出口穴を備える。
【００１８】
本発明によるキャップは、使用時に容器へと適切に取り付けられる。容器は、好ましくは、圧搾することが可能なチューブである。
【００１９】
好ましくは、容器に収容される物質は、身だしなみ製品としての組成物であり、より好ましくはヘアケア製品またはパーソナルウォッシュ製品などの洗浄用組成物である。このような製品は、使用時に水に濡れる傾向にあるため、弾性パッドが、使用時の適切な把持改善手段をもたらす。
【００２０】
好ましくは、パッドが、射出成型によって製作される。より好ましくは、パッドが、キャップの剛性材料が最初に射出または圧縮成型され、可動のダイがパッドの場所を占めているコールバック射出成型によって製作される。次いで、可動片が待避させられ、蓋にすき間または凹所が残される。次いで、キャップを金型から取り外さずに、可動片が残した空間へとパッドが成型される。
【００２１】
好ましくは、パッドの射出成型が、蓋のチャネルを通って行われる。これは、弾性パッドを、射出成型を行うことができる非同一面部分を持たない浅い凹所へと成型する好ましい方法である。
【００２２】
次に、本発明を、以下の図面（これらに限られるわけではない）を参照して説明する。
【図面の簡単な説明】
【００２３】
【図１】本発明によるキャップの斜視図を示している。
【図２】図１によるキャップの平面図を示している。
【図３】図２によるキャップの側面図を示している。
【図４】図２によるキャップの正面図を示している。
【発明を実施するための形態】
【００２４】
詳しくは、図１が、ヒンジ（図示せず）によって互いに接続された蓋（１）およびベース（２）を示している。ベースが、容器（図示されていない）に収容された組成物を送り出すための出口穴（３）を有している。蓋（１）が、把持を改善するための弾性パッド（４）を有している。弾性パッド（４）は、蓋の材料から容易に剥離することがないように設計されている。
【００２５】
図２が、ヒンジ（６）によって互いに接続された蓋（１）およびベース（２）を示している。蓋が、円形の形状である上面（５）を有している。
【００２６】
図３が、蓋の張り出し部（７）の下方に位置する弾性パッド（４）の反対側に位置するヒンジ（６）によってベース（２）へと接続された蓋（１）を示している。蓋およびベースは、蓋に向かってテーパ状にされている。
【００２７】
図４は、蓋（１）およびベース（２）ならびに弾性パッド（４）を示しており、弾性パッド（４）は、円の一部分の形状である。
【図１】
2011505303.tif 000003
【図２】
2011505303.tif 000004
【図３】
2011505303.tif 000005
【図４】
2011505303.tif 000006
【手続補正書】
【提出日】平成21年7月16日(2009.7.16)
【手続補正１】
【補正対象書類名】特許請求の範囲
【補正対象項目名】全文
【補正方法】変更
【補正の内容】
【特許請求の範囲】
【請求項１】
流動性の組成物のための容器のキャップであって、ヒンジによって互いに接続された蓋およびベースを備えており、蓋が、ベースに接触するベース接触縁と、ベース接触縁から離れた弾性パッドとを備え、パッドが蓋のヒンジと反対側に配置される、キャップ。
【請求項２】
パッドが、蓋の凹所に位置している、請求項１に記載のキャップ。
【請求項３】
パッドが、蓋とじかに接触して位置している、請求項１または２に記載のキャップ。
【請求項４】
パッドが、一様な奥行きである、請求項１から３のいずれか一項に記載のキャップ。
【請求項５】
パッドが、射出チャネルを備える、請求項１から４のいずれか一項に記載のキャップ。
【請求項６】
蓋およびベースが、剛性のあるプラスチック材料からなる、請求項１から５のいずれか一項に記載のキャップ。
【請求項７】
蓋が、張り出し部を備える、請求項１から６のいずれか一項に記載のキャップ。
【請求項８】
蓋が、実質的に円形の上面を備える、請求項１から７のいずれか一項に記載のキャップ。
【請求項９】
ベースの蓋とは反対側の縁が、実質的に円形である、請求項１から８のいずれか一項に記載のキャップ。
【請求項１０】
ベースの蓋とは反対側の縁に向かって外へとテーパ状である、請求項１から９のいずれか一項に記載のキャップ。
【手続補正書】
【提出日】平成22年8月4日(2010.8.4)
【手続補正１】
【補正対象書類名】明細書
【補正対象項目名】０００２
【補正方法】変更
【補正の内容】
【０００２】
国際公開第２００７／１３４７５６号パンフレットが、容器のキャップを開示している。キャップは、蓋をベースから外すためにベースに弾性パッドを備える。欧州特許第１０６５１４９号明細書が、把持用の環を備えるねじ山付きの蓋を開示している。
従来技術にもかかわらず、消費財のパッケージングの改善について、依然としてニーズが存在している。
【手続補正２】
【補正対象書類名】特許請求の範囲
【補正対象項目名】全文
【補正方法】変更
【補正の内容】
【特許請求の範囲】
【請求項１】
流動性の組成物のための容器のキャップであって、ヒンジによって互いに接続された蓋（１）およびベース（２）を備えており、蓋（１）が、ベースに接触するベース接触縁と、ベース接触縁から離れた弾性パッド（４）とを備え、パッド（４）が蓋のヒンジ（６）と反対側に配置される、キャップ。
【請求項２】
パッド（４）が、蓋の凹所に位置している、請求項１に記載のキャップ。
【請求項３】
パッド（４）が、蓋とじかに接触して位置している、請求項１または２に記載のキャップ。
【請求項４】
パッド（４）が、一様な奥行きである、請求項１から３のいずれか一項に記載のキャップ。
【請求項５】
パッド（４）が、射出チャネルを備える、請求項１から４のいずれか一項に記載のキャップ。
【請求項６】
蓋（１）およびベース（２）が、剛性のあるプラスチック材料からなる、請求項１から５のいずれか一項に記載のキャップ。
【請求項７】
蓋（１）が、張り出し部を備える、請求項１から６のいずれか一項に記載のキャップ。
【請求項８】
蓋（１）が、実質的に円形の上面を備える、請求項１から７のいずれか一項に記載のキャップ。
【請求項９】
ベース（２）の蓋とは反対側の縁が、実質的に円形である、請求項１から８のいずれか一項に記載のキャップ。
【請求項１０】
ベース（２）の蓋（１）とは反対側の縁に向かって外へとテーパ状である、請求項１から９のいずれか一項に記載のキャップ。
【国際調査報告】
2011505303.tif 000007
2011505303.tif 000008
2011505303.tif 000009